(57)【要約】【課題】参加する拠点の音量の大きさの変化に応じて、注目すべき拠点を決定する仕組みを提供すること。【解決手段】複数の拠点に接続されたクライアント端末から送信された拠点画像を複数表示することが可能なウェブ会議システムであって、前記拠点ごとの音量を所定間隔で取得する音量取得手段と、前記音量取得手段によって取得した音量の変化を比較する音量比較手段と、前記音量比較手段による音量の変化に応じて、前記複数の拠点画像の表示サイズを制御する拠点サイズ表示制御手段と、を有する。【選択図】図１０
2018174479.tif 000002
【特許請求の範囲】
【請求項１】
複数の拠点に接続されたクライアント端末から送信された拠点画像を複数表示することが可能なウェブ会議システムであって、
前記拠点ごとの音量を所定間隔で取得する音量取得手段と、
前記音量取得手段によって取得した音量の変化を比較する音量比較手段と、
前記音量比較手段による音量の変化に応じて、前記複数の拠点画像の表示サイズを制御する拠点サイズ表示制御手段と、
を有することを特徴とするウェブ会議システム。
【請求項２】
前記拠点サイズ表示制御手段は、前記音量比較手段による比較に応じて、前記音量が大きくなるよう変化した拠点の拠点画像のサイズが大きくなるよう表示制御し、一方、前記音量が小さくなるよう変化した拠点の拠点画像のサイズは小さくなるよう表示制御することを特徴とする請求項１記載のウェブ会議システム。
【請求項３】
前記音量比較手段によって比較して音量の変化に応じて、前記拠点の注目度を決定する注目度決定手段を更に有し、
前記拠点サイズ表示制御手段は、前記注目度を利用して前記拠点サイズを表示制御することを特徴とする請求項１または２記載のウェブ会議システム。
【請求項４】
前記音量比較手段による音量の変化がなかった拠点に関しては、前回からの注目度の増減に応じて今回増減する注目度を調整する注目度調整手段を有することを特徴とする請求項３記載のウェブ会議システム。
【請求項５】
複数の拠点に接続されたクライアント端末から送信された拠点画像を複数表示することが可能なウェブ会議システムの制御方法であって、
前記拠点ごとの音量を所定間隔で取得する音量取得ステップと、
前記音量取得ステップによって取得した音量の変化を比較する音量比較ステップと、
前記音量比較ステップによる音量の変化に応じて、前記複数の拠点画像の表示サイズを制御する拠点サイズ表示制御ステップと、
を有することを特徴とするウェブ会議システムの制御方法。
【請求項６】
複数の拠点に接続されたクライアント端末から送信された拠点画像を複数表示することが可能なウェブ会議システムで読み取り可能なプログラムあって、
前記ウェブ会議システムを、
前記拠点ごとの音量を所定間隔で取得する音量取得手段と、
前記音量取得手段によって取得した音量の変化を比較する音量比較手段と、
前記音量比較手段による音量の変化に応じて、前記複数の拠点画像の表示サイズを制御する拠点サイズ表示制御手段と、
を有することを特徴とするウェブ会議システムとして機能させるためのプログラム。
【発明の詳細な説明】
【技術分野】
【０００１】
本発明は、ウェブ会議システムおよびその制御方法、プログラムに関する。
【背景技術】
【０００２】
従来、ネットワークを介して接続された複数の端末装置を利用して、仮想的な会議を行うウェブ会議システムが知られている。
【０００３】
ウェブ会議システムにおける会議参加者の拠点の映像を表示する会議レイアウトは、ユーザにより自由に変更ができたり、表示する順序を変更したりすることが可能となっている。
【０００４】
しかし会議中に注目すべき拠点の映像が変化した場合、ユーザは再度レイアウトを変更する必要がある。
【０００５】
また、会議に参加する拠点が多い場合、いま発言している拠点が不明になったり、発言しているにも関わらず、表示可能な面積の制約により表示できない拠点があったり、表示面積が非常に小さくってしまうという問題があった。
【０００６】
このような問題を解決するために、特許文献１では、会議室の音量に応じて注目度を設定し、レイアウトを変更するような仕組みが提案されている。
【先行技術文献】
【特許文献】
【０００７】
【特許文献１】特開２０１６−０９６３９５号公報
【発明の概要】
【発明が解決しようとする課題】
【０００８】
しかしながら、ウェブ会議では参加する拠点により端末が異なる場合が多く、計測した音量が同じ声の大きさでも同一の音量になるとは限らない。また、常に音量が大きい拠点が注目すべき拠点とも限らず、会議の流れに応じて注目すべき拠点を大きく表示することは前述した発明では困難である。
【０００９】
そこで、本発明では、参加する拠点の音量の大きさの変化に応じて、注目すべき拠点を決定する仕組みを提供することを目的とする。
【課題を解決するための手段】
【００１０】
複数の拠点に接続されたクライアント端末から送信された拠点画像を複数表示することが可能なウェブ会議システムであって、前記拠点ごとの音量を所定間隔で取得する音量取得手段と、前記音量取得手段によって取得した音量の変化を比較する音量比較手段と、前記音量比較手段による音量の変化に応じて、前記複数の拠点画像の表示サイズを制御する拠点サイズ表示制御手段と、を有する。
【発明の効果】
【００１１】
本発明によれば、本発明では、参加する拠点の音量の大きさの変化に応じて、注目すべき拠点を決定する仕組みを提供することができる。
【図面の簡単な説明】
【００１２】
【図１】本発明の実施形態に係わるウェブ会議システムのシステム構成図の一例を示す図である。
【図２】本発明の実施形態に係るウェブ会議システムにおける情報処理装置のハードウェア構成例を示すブロック図である。
【図３】本発明の実施形態に係るウェブ会議システムにおける機能構成の一例を示す機能構成図である。
【図４】本発明の実施形態に係るウェブ会議システムにおける標準の他拠点表示画面の一例を示す図である。
【図５】本発明の実施形態に係るウェブ会議システムにおけるサイズが変更された他拠点の表示画面の一例を示す図である。
【図６】本発明の実施形態に係るウェブ会議システムにおける注目度を決定する処理の一例を示すフローチャートである。
【図７】本発明の実施形態に係るウェブ会議システムにおける注目度の調整処理の一例を示すフローチャートである。
【図８】本発明の実施形態に係るウェブ会議システムにおける他拠点の表示サイズを変更する処理の一例を示すフローチャートである。
【図９】本発明の実施形態に係るウェブ会議システムにおける拠点注目テーブルおよび第１の他拠点表示画面の一例を示す図である。
【図１０】本発明の実施形態に係るウェブ会議システムにおける拠点注目テーブルおよび第２の他拠点表示画面の一例を示す図である。
【図１１】本発明の実施形態に係るウェブ会議システムにおける拠点注目テーブルおよび第３の他拠点表示画面の一例を示す図である。
【図１２】本発明の実施形態に係るウェブ会議システムにおける注目度決定テーブルの一例を示す図である。
【発明を実施するための形態】
【００１３】
以下、図面を参照して、本発明の実施形態を詳細に説明する。
＜第１の実施形態＞
図１は、本発明の実施形態に係わるウェブ会議システムのシステム構成図の一例を示す図である。
【００１４】
本発明のウェブ会議システムは、例えば、パーソナルコンピュータを適用可能な情報処理装置１００（３００、３１０）と各クライアント端末でウェブ会議システムを利用可能にするウェブ会議サーバ（サーバ装置）２００がネットワーク１１０を介して接続されている。Ｗｅｂ会議システム・テレビ会議システムとも呼ぶ。
【００１５】
各装置は、ネットワーク１１０に有線ネットワークで接続するようにしてもよいし、無線ネットワークや無線通信により接続するようにしてもよい。
【００１６】
ウェブ会議サーバ２００は、ウェブブラウザを利用したウェブ会議を実現するためのサーバである。情報処理装置１００は、はウェブ会議サーバ２００へアクセスすることにより、ウェブ会議画面（インタフェース）を取得してウェブ会議を行うことができる。
【００１７】
本実施例では、情報処理装置１００や３００のようにタブレットＰＣを例にして説明するが、情報処理装置３１０のようなノートＰＣや不図示のデスクトップＰＣなどを利用することもできる。情報処理装置は、ウェブ会議サーバから配信されるコンテンツの画像を所定の表示領域に表示可能となっている。
【００１８】
配信されるコンテンツ（映像、音声、音量など）は、カメラ１０１やマイク１０２によって取得された画像や音声であって、所定の間隔で情報処理装置からウェブ会議サーバへ送信され、それを蓄積したウェブ会議サーバが、接続された情報処理装置に配信するようになっている。
【００１９】
これら情報処理装置１００には、ウェブ会議サーバ２００へアクセスするためのウェブブラウザ、及び専用のモジュールがインストールされている。なお、この専用のモジュールは、例えば、ウェブブラウザを介して、ウェブ会議サーバ２００からダウンロードするＡｃｔｉｖｅＸコンポーネントである。
【００２０】
なお、ウェブ会議において自身の動画像を送信する場合は、ビデオデバイスであるウェブカメラなどのカメラ１０１を接続する。音声を送信する場合は、マイク１０２を接続し、相手の音声を視聴するためにはスピーカー１０３を接続する。マイク１０２およびスピーカー１０３はオーディオデバイスである。例えば、本実施例ではマイク１０２によって集音された音声の変化を利用して注目すべき拠点を決定することが可能である。
【００２１】
また、各デバイスは同じ筐体のハードに備えられるものもあり、例えばカメラ機能とマイク機能や、マイク機能とスピーカー機能、および全ての機能を備えたデバイスも存在する。
【００２２】
また、ウェブ会議システムは、情報処理装置１００の画面を他の情報処理装置（３００や３１０）の画面に表示する、画面共有を行うことができる。共有される画面は、情報処理装置１００で指定することが可能で、指定するアプリケーションの画面であったり、デスクトップ全体であったりする。
【００２３】
本ウェブ会議システムは、ルームと呼ばれるウェブ上の仮想会議室を複数設定することが可能で、ルームを複数設定することにより複数の会議を行うことが可能である。
【００２４】
図２は、本発明の実施形態に係わる情報処理装置のハードウェア構成の一例を示すブロック図である。
【００２５】
図２に示すように、情報処理装置１００では、システムバス２００を介してＣＰＵ（Ｃｅｎｔｒａｌ  Ｐｒｏｃｅｓｓｉｎｇ  Ｕｎｉｔ）２０１、ＲＯＭ（Ｒｅａｄ  Ｏｎｌｙ  Ｍｅｍｏｒｙ）２０２、ＲＡＭ（Ｒａｎｄｏｍ  Ａｃｃｅｓｓ  Ｍｅｍｏｒｙ）２０３、記憶装置２０４、入力コントローラ２０５、音声入出力コントローラ２０６、ビデオコントローラ２０７、メモリコントローラ２０８、よび通信Ｉ／Ｆコントローラ２０９が接続される。
【００２６】
ＣＰＵ２０１は、システムバス２００に接続される各デバイスやコントローラを統括的に制御する。
【００２７】
ＲＯＭ２０２あるいは記憶装置２０４は、ＣＰＵ２０１が実行する制御プログラムであるＢＩＯＳ（Ｂａｓｉｃ  Ｉｎｐｕｔ／Ｏｕｔｐｕｔ  Ｓｙｓｔｅｍ）やＯＳ（Ｏｐｅｒａｔｉｎｇ  Ｓｙｓｔｅｍ）や、本情報処理方法を実現するためのコンピュータ読み取り実行可能なプログラムおよび必要な各種データ（データテーブルを含む）を保持している。
【００２８】
ＲＡＭ２０３は、ＣＰＵ２０１の主メモリ、ワークエリア等として機能する。ＣＰＵ２０１は、処理の実行に際して必要なプログラム等をＲＯＭ２０２あるいは記憶装置２０４からＲＡＭ２０３にロードし、ロードしたプログラムを実行することで各種動作を実現する。
【００２９】
入力コントローラ２０５は、キーボード／タッチパネル／カメラ２１０などの入力装置からの入力を制御する。入力装置はこれに限ったものでなく、マウスやマルチタッチスクリーンなどの、複数の指でタッチされた位置を検出することが可能なタッチパネルであってもよい。
【００３０】
音声入出力コントローラ２０６は、マイク／スピーカー２１１からの入出力を制御する。マイクから入力された音声を音声認識することが可能となっている。スピーカーにはイヤホンを接続することも可能である。
【００３１】
ビデオコントローラ２０７は、ディスプレイ２１２などの外部出力装置への表示を制御する。ディスプレイは本体と一体になったノート型パソコンのディスプレイも含まれるものとする。なお、外部出力装置はディスプレイに限ったものははく、例えばプロジェクタであってもよい。また、前述のタッチ操作により受け付け可能な装置については、キーボード／タッチパネル２１０からの入力を受け付けることも可能となる。
【００３２】
なおビデオコントローラ２０７は、表示制御を行うためのビデオメモリ（ＶＲＡＭ）を制御することが可能で、ビデオメモリ領域としてＲＡＭ２０３の一部を利用することもできるし、別途専用のビデオメモリを設けることも可能である。
【００３３】
本発明では、ユーザが情報処理装置を通常する場合の表示に用いられる第１のビデオメモリ領域と、所定の画面が表示される場合に、第１のビデオメモリ領域の表示内容に重ねての表示に用いられる第２のビデオメモリ領域を有している。ビデオメモリ領域は２つに限ったものではなく、情報処理装置の資源が許す限り複数有することが可能なものとする。
【００３４】
メモリコントローラ２０８は、外部メモリ２１３へのアクセスを制御する。外部メモリとしては、ブートプログラム、各種アプリケーション、フォントデータ、ユーザファイル、編集ファイル、および各種データ等を記憶する外部記憶装置（ハードディスク）、フレキシブルディスク（ＦＤ）、或いはＰＣＭＣＩＡカードスロットにアダプタを介して接続されるコンパクトフラッシュ（登録商標）メモリ等を利用可能である。
【００３５】
通信Ｉ／Ｆコントローラ２０９、ネットワーク２１４を介して外部機器と接続・通信するものであり、ネットワークでの通信制御処理を実行する。例えば、ＴＣＰ／ＩＰを用いた通信やＩＳＤＮなどの電話回線、および携帯電話の３Ｇ回線を用いた通信が可能である。
【００３６】
なお、記憶装置２０４は情報を永続的に記憶するための媒体であって、その形態をハードディスク等の記憶装置に限定するものではない。例えば、ＳＳＤ（Ｓｏｌｉｄ  Ｓｔａｔｅ  Ｄｒｉｖｅ）などの媒体であってもよい。
【００３７】
また本実施形態における通信端末で行われる各種処理時の一時的なメモリエリアとしても利用可能である。
【００３８】
図３は、本発明の実施形態に係るウェブ会議システムにおける機能構成の一例を示す機能構成図である。
【００３９】
ウェブ会議システムの情報処理装置は、音量取得部３１１、音量比較部３１２、注目度決定部３１３、注目度調整部３１４、および拠点サイズ表示制御部を有する。
【００４０】
音量取得部３１１は、ウェブ会議サーバから各拠点の音量を取得する。音量比較部３１２は、所定時間ごとに各拠点で取得された音量の変化を比較する。
【００４１】
注目度決定部３１３は、音量比較部３１２で比較した音量の変化に応じて、拠点の注目度を決定する
注目度調整部３１４は、拠点の画面サイズが頻繁に切り替わらないよう、ゆるやかに表示サイズが変更されるような調整を行う。
【００４２】
拠点サイズ表示制御部３１５は、注目度決定部３１３によって決定された拠点の表示サイズで画面に表示できるよう表示制御を行う。
【００４３】
なお、本実施例では、本機能構成図に示す機能を情報処理装置が有するように説明しているが、全部または一部の機能をウェブ会議サーバに処理されるウェブ会議システムとして機能させることができる。
【００４４】
図４は、本発明の実施形態に係るウェブ会議システムにおける標準の他拠点表示画面の一例を示す図である。
【００４５】
ウェブ会議室（仮想会議室）として設定された会議室（１）４００に入室した情報処理装置の画面である。本実施例では、自分の他に拠点Ａ〜Ｄから、合わせて（自拠点含み）５ユーザがウェブ会議に参加している。
【００４６】
参加者とは、具体的には、情報処理装置１００のことであって、接続されたカメラ１０１によって撮影された動画が、ウェブ会議サーバを経由して、参加者の拠点からの動画として各接続された情報処理装置へ配信されるようになっている。
【００４７】
画面には、拠点Ａの動画４０１、拠点Ｂの動画４０２、拠点Ｃの動画４０３、拠点Ｄの動画４０４、および自分の拠点の動画４０５が複数表示されている。拠点と動画とは、ウェブ会議システムに接続している拠点の拠点画像である。退室ボタン４０６を押下すると、ウェブ会議室（１）から退室する。
【００４８】
先にも述べたが、例えば拠点Ａの動画４０１とは、拠点Ａからウェブ会議システムに接続している情報処理装置のカメラやスピーカーから取得され、サーバを介して配信された動画（や音声）のことである。ここで、配信されるのは、動画ではなく静止画であっても構わない。
【００４９】
各拠点の動画の画面のサイズは、標準では図に示すように等しいサイズになっている。利用するユーザが手動で好みに合ったサイズに変更することが可能である。画面のサイズとは、拠点の動画が表示される領域（枠やウィンドウ）のサイズのことである。
【００５０】
本発明では、ユーザによる手動のサイズ変更ではなく、各拠点の音量の大きさの変化に応じた注目度によって参加者の画面サイズを変更している。変更するイメージについて、図５を利用して説明する。
【００５１】
図５は、本発明の実施形態に係るウェブ会議システムにおけるサイズが変更された他拠点の表示画面の一例を示す図である。
【００５２】
会議室（１）５００の例では、拠点Ａの動画５０１の注目度が一番大きく、それ以外の拠点の動画の注目度が等しく拠点Ａよりも注目度が低い場合の画面例である。
【００５３】
また、会議室（１）５１０の例では、拠点Ａの拠点Ｂの注目度が等しく大きく、その他の参加者の拠点の注目度が等しく低い場合の例である。
【００５４】
なお、拠点の動画を表示するレイアウトはこれに限ったものではなく、任意に設定しておくことが可能である。
【００５５】
図６は、本発明の実施形態に係るウェブ会議システムにおける注目度を決定する処理の一例を示すフローチャートである。
【００５６】
本処理は、図９に示す他拠点表示画面９１０に表示される拠点ごとに所定間隔（本実施例では１分間隔）で実行されるもので、本処理によって拠点注目度テーブル９００が作成される。拠点注目度テーブル９００および他拠点表示画面９００について説明する。
【００５７】
図９は、本発明の実施形態に係るウェブ会議システムにおける拠点注目テーブルおよび第１の他拠点表示画面の一例を示す図である。
【００５８】
なお、図９の拠点注目度テーブルは０９：００現在のもの、図１０は０９：０１現在のもの、図１１は０９：０２のもとなっており、所定の間隔で取得され続くものである。以下、図９を中心に、図９〜図１１を利用して拠点注目度テーブルおよび他拠点表示画面について説明する。
【００５９】
拠点注目度テーブル９００は、他拠点表示画面９１０に表示する拠点の表示領域のサイズを決定するための注目が記憶されたテーブルである。
【００６０】
拠点名９０１、現在測定した音量９０２、前回測定した音量９０３、注目度９０４、および前回からの増減値９０５が記憶されている。
【００６１】
拠点名９０１は、ウェブ会議システムに接続している拠点名である。本実施例では、拠点Ａ〜拠点Ｄまでの４つの拠点が表示されている。例えば、拠点Ａの情報処理装置の場合、拠点Ａの代わりに拠点Ｅ（本画面を表示している情報処理装置の拠点）が表示される。
【００６２】
現在測定した音量９０２は、サーバから配信されたコンテンツから取得可能な音量であって、実施例では、０９：００に測定した音量となっている。また、図１０に示す拠点注目度テーブル１０００は、現在測定した音量１００２が、０９：０１、図１１に示す拠点で注目度テーブル１１００は、現在測定した音量１１０２が、０９：０２となる例を示している。
【００６３】
前回測定した音量９０３は、前回測定した音量が表示されるが、本実施例では、処理が始まったばかりの初回となっているので、前回の音量は記憶されていない。
【００６４】
拠点Ａの場合、図１０の前記測定した音量１００３（０９：００に測定）は、１００、図１１の前記測定した音量１１０３（０９：０１）は、１００である。
【００６５】
注目度９０４は、初回のため、現在の現在測定した音量９０２に応じて注目度が決定される。
【００６６】
拠点Ａの場合、図１０の注目度１００４では、「１０」、図１１の注目度１１０４では、１０が設定されている。
【００６７】
前回からの増減値９０５は、注目度が、前回からどのくらい増減したのかが記憶される。初回測定時点では、設定されていない。
【００６８】
拠点Ａの場合、図１０の前回からの増減値１００５（０９：００時点）には、注目度９０４の値である１０（−から１０に増加）が設定され、図１１の前回増減値１１０５（０９：００時点）には、注目度９０４から注目度１００４に増加した値である０が設定される。
【００６９】
他拠点表示画面９１０（１０１０、１１１０）には、ウェブ会議システムに接続された他拠点の動画が表示されるようになっていて、拠点Ａから拠点Ｄの４つの拠点の動画が対象である。この拠点の動画を表示する領域のサイズが、注目度９０４（１００４、１１０４）に応じて変更される。
【００７０】
なお、音量の単位は、ポイントやホンやデジベルなどが利用可能であり、注目度の単位はポイントや順位などを利用することができる。図６の説明に戻る。
【００７１】
ステップＳ６０１で、ウェブ会議サーバから配信されるコンテンツデータから対象拠点の現在の音量を取得し拠点注目度テーブル９００の現在測定した音量９０２に記憶するとともに、ステップＳ６０２で、前回計測した音量９０３と比較する。
【００７２】
ステップＳ６０３で音量の変化があったかどうかの判定を行い、＜前回より大きい＞場合はステップＳ６０４に進み、一方、＜前回より小さい＞場合はステップＳ６０５に進み、他方、＜変化なし＞の場合はステップＳ６０６の注目度調整処理に進む。
【００７３】
ステップＳ６０４では加算する注目度を決定し、ステップＳ６０５では減算する注目度を決定する。注目度の増減については、図１２に示す注目度増減設定１２００を利用する。
【００７４】
図１２は、本発明の実施形態に係るウェブ会議システムにおける注目度決定テーブルの一例を示す図である。
【００７５】
あらかじめ管理者により決定されたものが、サーバ装置に記憶され、情報処理装置の記憶装置２０４などに記憶されているものとする。
【００７６】
設定には、条件１２０１、計算式１２０２、および対応する注目度の増減値が記録されている。この設定を利用して、図６の注目度決定処理および図７の注目度調整処理が行われる。
【００７７】
ステップＳ６０４では、条件１２０１で音量が「前回よりも大きい」ので、計算式１２０２に従い、「前回の音量との差の一定割合を加算値とする」し、注目度の増減値１２０３は、「１０％を加算」が決定される。
【００７８】
拠点注目度テーブル１０００を例にして説明すると、拠点Ｃは現在測定した音量１００１が１０で前回測定した音量１００３が３０なので、
ステップＳ６０５では、条件１２０１が「前回より音量が小さい」ので計算式１２０２に従い、「現在の注目度の一定割合を減算値とする。」ので、増減値は「５％」減算となる。
【００７９】
ステップＳ６０７では、ステップＳ６０４で決定した注目度を加算し、ステップＳ６０８では、ステップＳ６０５で決定した注目度を減算してステップＳ６０９に進む。
【００８０】
ステップＳ６０６の注目度調整処理は、直前までは注目度が高かったのに、急に静かになったことで注目度が急激に下がることが無いよう、注目度が高かった拠点などは徐々に注目度を下げるよう注目度の調整行う処理である。本処理は必ず行われなくても構わない処理である。詳細については、図７を利用して後述する。
【００８１】
ステップＳ６０９では、全ての拠点に対して処理が行われたどうかの判定を行い、行われている場合は処理を終了し、未処理の拠点が残っている場合は、ステップＳ６０１に戻り、全拠点が終わるまで処理をループする。
【００８２】
図７は、本発明の実施形態に係るウェブ会議システムにおける注目度の調整処理の一例を示すフローチャートである。
【００８３】
ステップＳ６０６に注目度調整処理に対応し、図１２の注目度増減設定１２００の条件１２０１で、「前回と音量が変わらない」で始まる３つの条件を利用する。
【００８４】
ステップＳ７０１で、拠点注目度テーブルより、前回の注目度の増減（９０５、１００５、１１０５）を取得し、ステップＳ７０２で注目度の変化を判定する。
【００８５】
注目度の変化が＜前回より大きい＞と判定された場合ステップＳ７０３に進み、＜前回より小さい＞と判定された場合はステップＳ７０４に進み、＜変化なし＞と判定された場合はステップＳ７０５に進む。ステップＳ７０５では、注目度の調整を行わず、処理を終了する。
【００８６】
ステップＳ７０３では、図１２の注目度増減設定の条件１２０１で「前回と音量が変わらない（前回、注目度を加算）」に該当するので、計算式１２０２の「前回に加算した一定割合を加算値とする」に従い、増減値１２０３を利用して１０％を加算することを決定し、ステップＳ７０６で、決定した注目度を加算して処理を終了する。
【００８７】
ステップＳ７０４では、条件１２０１で「前回と音量が変わらない（前回注目度を減算）」に該当するので、計算式１２０２の「前回に減算した一定割合を減算値とする」に従い、増減値１２０３を利用して５％を減算することを決定し、ステップＳ７０７で、決定した注目度を減算して処理を終了する。これにより今回増減する注目度を調整することができる。
【００８８】
図８は、本発明の実施形態に係るウェブ会議システムにおける他拠点の表示サイズを変更する処理の一例を示すフローチャートである。
【００８９】
図６および図７で決定した拠点注目度テーブルを利用して他拠点表示画面の拠点の表示領域のサイズの表示制御を行う処理である。
【００９０】
ステップＳ８０１で、拠点注目度テーブルより現在の注目度を取得し（例えば０９：００であれば、拠点注目度テーブル９００、０９：０１であれば１０００、０９：０２であれば１１００）、ステップＳ８０２に進む。
【００９１】
ステップＳ８０２では、対象とする拠点全ての注目度の取得を行ったかどうかを判定し、行った場合はステップＳ８０３に進み、行っていない場合には、ステップＳ８０１に戻り、全拠点に対して行うまで処理をループする。実施例の場合は、拠点Ａ〜拠点Ｄまでの４拠点に対して処理が完了しているかどうかを確認する。
【００９２】
ステップＳ８０３で、拠点の注目度を順位付けする。拠点注目度テーブル９００の場合であれば、拠点Ａ〜拠点Ｄの注目度は０で等しい。拠点注目度テーブル１０００の場合であれば注目度が高い順に、拠点Ａ＝拠点Ｂ＞拠点Ｄ＞拠点Ｃの順となる。拠点注目度テーブル１１００の場合であれば注目度が高い順に、拠点Ｄ＞拠点Ａ＞拠点Ｂ＞拠点Ｃの順となる。
【００９３】
ステップＳ８０４では、ステップＳ８０３で順位付けされた順に拠点の表示サイズをけってし、ステップＳ８０５で画面上に拠点の表示サイズを反映すべく表示制御し処理を終了する。
【００９４】
他拠点表示画面１０１０では、拠点Ａ＝拠点Ｂ＞拠点Ｄ＞拠点Ｃに従って表示領域のサイズが表示制御され、他拠点表示画面１１１０では、拠点Ｄ＞拠点Ａ＞拠点Ｂ＞拠点Ｃに従って表示領域のサイズが表示制御される。
【００９５】
また、表示サイズは、注目度のポイントに比例したサイズで表示されるようにしてもよい。
本発明の実施形態においては、ウェブ会議システムで利用される仮想会議室のことをウェブ会議室、仮想会議室、または単に会議室として説明しているが同じものである。
【００９６】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読出し実行することによっても、本発明の目的が達成されることは言うまでもない。
【００９７】
この場合、記録媒体から読み出されたプログラム自体が本発明の新規な機能を実現することになり、そのプログラムを記憶した記録媒体は本発明を構成することになる。
【００９８】
プログラムを供給するための記録媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【００９９】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１００】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１０１】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【０１０２】
さらに、本発明を達成するためのプログラムをネットワーク上のサーバ，データベース等から通信プログラムによりダウンロードして読み出すことによって、そのシステムあるいは装置が、本発明の効果を享受することが可能となる。
【符号の説明】
【０１０３】
１００  情報処理装置
１０１  カメラ
１０２  マイク
１０３  スピーカー
１１０  ネットワーク
２００  ウェブ会議サーバ
【図１】
2018174479.tif 000003
【図２】
2018174479.tif 000004
【図３】
2018174479.tif 000005
【図４】
2018174479.tif 000006
【図５】
2018174479.tif 000007
【図６】
2018174479.tif 000008
【図７】
2018174479.tif 000009
【図８】
2018174479.tif 000010
【図９】
2018174479.tif 000011
【図１０】
2018174479.tif 000012
【図１１】
2018174479.tif 000013
【図１２】
2018174479.tif 000014
【手続補正書】
【提出日】平成30年4月23日(2018.4.23)
【手続補正２】
【補正対象書類名】明細書
【補正対象項目名】０００１
【補正方法】変更
【補正の内容】
【０００１】
本発明は、画像表示システム、画像表示システムの制御方法、情報処理装置、情報処理装置の制御方法、及びプログラムに関する。
【手続補正３】
【補正対象書類名】明細書
【補正対象項目名】００１０
【補正方法】変更
【補正の内容】
【００１０】
本発明は、複数の拠点にあるカメラから取得された画像を複数表示することが可能な画像表示システムであって、前記拠点ごとの音量を所定間隔で取得する音量取得手段と、前記音量取得手段によって取得した音量の変化を前記拠点ごとに比較する音量比較手段と、前記音量比較手段による音量の変化の比較結果に応じて、前記画像を複数表示する際の画像のサイズを制御する表示制御手段と、を有することを特徴とする。
【手続補正４】
【補正対象書類名】特許請求の範囲
【補正対象項目名】全文
【補正方法】変更
【補正の内容】
【特許請求の範囲】
【請求項１】
複数の拠点にあるカメラから取得された画像を複数表示することが可能な画像表示システムであって、
前記拠点ごとの音量を所定間隔で取得する音量取得手段と、
前記音量取得手段によって取得した音量の変化を前記拠点ごとに比較する音量比較手段と、
前記音量比較手段による音量の変化の比較結果に応じて、前記画像を複数表示する際の画像のサイズを制御する表示制御手段と、
を有することを特徴とする画像表示システム。
【請求項２】
前記表示制御手段は、前記音量比較手段による音量の比較に応じて、前記音量が大きくなるよう変化した拠点の画像のサイズが大きくなるよう表示制御し、一方、前記音量が小さくなるよう変化した拠点の画像のサイズは小さくなるよう表示制御することを特徴とする請求項１に記載の画像表示システム。
【請求項３】
前記音量比較手段によって比較した音量の変化に応じて、前記拠点の注目度を決定する注目度決定手段を更に有し、
前記表示制御手段は、前記注目度を利用して前記画像のサイズを表示制御することを特徴とする請求項１または２に記載の画像表示システム。
【請求項４】
前記音量比較手段による比較結果により音量の変化がなかった拠点に関しては、前回からの注目度の増減に応じて今回増減する注目度を調整する注目度調整手段を有することを特徴とする請求項３に記載の画像表示システム。
【請求項５】
複数の拠点にあるカメラから取得された画像を複数表示することが可能な画像表示システムの制御方法であって、
前記拠点ごとの音量を所定間隔で取得する音量取得ステップと、
前記音量取得ステップによって取得した音量の変化を前記拠点ごとに比較する音量比較ステップと、
前記音量比較ステップによる音量の変化の比較結果に応じて、前記画像を複数表示する際の画像のサイズを制御する表示制御ステップと、
を含むことを特徴とする画像表示システムの制御方法。
【請求項６】
複数の拠点にあるカメラから取得された画像を複数表示することが可能な情報処理装置であって、
前記拠点ごとの音量を所定間隔で取得する音量取得手段と、
前記音量取得手段によって取得した音量の変化を前記拠点ごとに比較する音量比較手段と、
前記音量比較手段による音量の変化の比較結果に応じて、前記画像を複数表示する際の画像のサイズを制御する表示制御手段と、
を有することを特徴とする情報処理装置。
【請求項７】
複数の拠点にあるカメラから取得された画像を複数表示することが可能な情報処理装置の制御方法であって、
前記拠点ごとの音量を所定間隔で取得する音量取得ステップと、
前記音量取得ステップによって取得した音量の変化を前記拠点ごとに比較する音量比較ステップと、
前記音量比較ステップによる音量の変化の比較結果に応じて、前記画像を複数表示する際の画像のサイズを制御する表示制御ステップと、
を含むことを特徴とする情報処理装置の制御方法。
【請求項８】
複数の拠点にあるカメラから取得された画像を複数表示することが可能な情報処理装置を、
前記拠点ごとの音量を所定間隔で取得する音量取得手段と、
前記音量取得手段によって取得した音量の変化を前記拠点ごとに比較する音量比較手段と、
前記音量比較手段による音量の変化の比較結果に応じて、前記画像を複数表示する際の画像のサイズを制御する表示制御手段、
として機能させるためのプログラム。
【手続補正書】
【提出日】平成30年7月26日(2018.7.26)
【手続補正１】
【補正対象書類名】明細書
【補正対象項目名】００１０
【補正方法】変更
【補正の内容】
【００１０】
本発明は、複数の位置にあるカメラから取得された画像を複数表示することが可能な画像表示システムであって、前記位置ごとの音量を所定間隔で取得する音量取得手段と、前記音量取得手段によって先に取得した第一の音量と前記第一の音量の後に取得した第二の音量とに基づいて、音量の変化を前記位置ごとに決定する音量変化決定手段と、前記音量変化決定手段による前記位置ごとの音量の変化に基づいて、前記位置に対応するカメラの画像サイズをそれぞれ制御する表示制御手段と、を有することを特徴とする。
【手続補正２】
【補正対象書類名】特許請求の範囲
【補正対象項目名】全文
【補正方法】変更
【補正の内容】
【特許請求の範囲】
【請求項１】
複数の位置にあるカメラから取得された画像を複数表示することが可能な画像表示システムであって、
前記位置ごとの音量を所定間隔で取得する音量取得手段と、
前記音量取得手段によって先に取得した第一の音量と前記第一の音量の後に取得した第二の音量とに基づいて、音量の変化を前記位置ごとに決定する音量変化決定手段と、
前記音量変化決定手段による前記位置ごとの音量の変化に基づいて、前記位置に対応するカメラの画像サイズをそれぞれ制御する表示制御手段と、
を有することを特徴とする画像表示システム。
【請求項２】
前記表示制御手段は、前記音量変化決定手段により決定した前記位置ごとの音量の変化に基づいて、前記音量が大きくなるよう変化した位置に対応するカメラの画像のサイズは大きく、一方、前記音量が小さくなるよう変化した位置に対応するカメラの画像のサイズは小さくなるよう、所定の間隔で表示制御することを特徴とする請求項１に記載の画像表示システム。
【請求項３】
前記音量変化決定手段は、音量の変化に基づいて前記位置ごとの注目度を決定し、
前記画像表示システムは、前記注目度に応じて順位付けを行う順位づけ手段と、を更に有し、
前記表示制御手段は、前記注目度と前記順位に基づいて複数の前記画像のサイズをそれぞれ表示制御することを特徴とする請求項１または２に記載の画像表示システム。
【請求項４】
前記音量変化決定手段により音量の変化がないと決定された場合は、前記注目度の増減に基づいて増減させる注目度を調整する注目度調整手段を有することを特徴とする請求項３に記載の画像表示システム。
【請求項５】
複数の位置にあるカメラから取得された画像を複数表示することが可能な画像表示システムの制御方法であって、
前記位置ごとの音量を所定間隔で取得する音量取得ステップと、
前記音量取得ステップによって先に取得した第一の音量と前記第一の音量の後に取得した第二の音量とに基づいて、音量の変化を前記位置ごとに決定する音量変化決定ステップと、
前記音量変化決定ステップによる前記位置ごとの音量の変化に基づいて、前記位置に対応するカメラの画像サイズをそれぞれ制御する表示制御ステップと、
を含むことを特徴とする画像表示システムの制御方法。
【請求項６】
複数の位置にあるカメラから取得された画像を複数表示することが可能な情報処理装置であって、
前記位置ごとの音量を所定間隔で取得する音量取得手段と、
前記音量取得手段によって先に取得した第一の音量と前記第一の音量の後に取得した第二の音量とに基づいて、音量の変化を前記位置ごとに決定する音量変化決定手段と、
前記音量変化決定手段による前記位置ごとの音量の変化に基づいて、前記位置に対応するカメラの画像サイズをそれぞれ制御する表示制御手段と、
を有することを特徴とする情報処理装置。
【請求項７】
複数の位置にあるカメラから取得された画像を複数表示することが可能な情報処理装置の制御方法であって、
前記位置ごとの音量を所定間隔で取得する音量取得ステップと、
前記音量取得ステップによって先に取得した第一の音量と前記第一の音量の後に取得した第二の音量とに基づいて、音量の変化を前記位置ごとに決定する音量変化決定ステップと、
前記音量変化決定ステップによる前記位置ごとの音量の変化に基づいて、前記位置に対応するカメラの画像サイズをそれぞれ制御する表示制御ステップと、
を含むことを特徴とする情報処理装置の制御方法。
【請求項８】
コンピュータを、請求項６に記載の情報処理装置の各手段として機能させるためのプログラム。